(57)【要約】  カメラ装置（１）は、撮影方向が所定の向きに設定されるカメラ（２）と、カメラ（２）を水平方向に回転可能に支持するテーブル（３）と、テーブル（３）の上に載置されてカメラ（２）を覆うカバー（４）とを備える。テーブル（３）は、カメラ（２）の向きに対応する位置に第１のスロープ部（９）を有し、カバー（４）は、カメラ（２）の撮影視野を確保するための窓部（８）と、窓部（８）の向きに対応する位置に第１のスロープ部（９）に応じた形状の第２のスロープ部（１０）とを有する。第１のスロープ部（９）と第２のスロープ部（１０）とを互いに当接させたときに、窓部（８）の向きがカメラ（２）の向きと水平方向で揃うように調整される。これにより、カバーの窓部の向きを容易にカメラの向きに合わせることのできるカメラ装置が提供される。
2010010658.tif 000002
【特許請求の範囲】
【請求項１】
撮影方向が所定の向きに設定されるカメラと、
前記カメラの向きに対応する位置に第１の方向ガイド部を有し、前記カメラを水平方向に回転可能に支持するテーブルと、
前記カメラの撮影視野を確保するための窓部と、前記窓部の向きに対応する位置に前記第１の方向ガイド部に応じた形状の第２の方向ガイド部とを有し、前記テーブルの上に載置されて前記カメラを覆うカバーと、
を備え、
前記第１の方向ガイド部と前記第２の方向ガイド部とを互いに当接させたときに、前記窓部の向きが前記カメラの向きと水平方向で揃うように調整されることを特徴とするカメラ装置。
【請求項２】
前記カバーは、アウターカバーとインナーカバーで構成されており、
前記アウターカバーは、ケースに対して回転不能に固定され、
前記インナーカバーは、前記ケースと前記アウターカバーに対して回転可能であり、前記窓部と前記第２の方向ガイド部を有することを特徴とする請求項１に記載のカメラ装置。
【請求項３】
前記カメラを水平方向に回転させて前記カメラの向きを調整する制御部を備え、
前記カメラの向きの調整が行われたときに、前記窓部の向きが前記カメラの向きと水平方向で揃うように調整されることを特徴とする請求項１に記載のカメラ装置。
【請求項４】
前記アウターカバーは、表面にスモーク処理が施されていることを特徴とする請求項２に記載のカメラ装置。
【請求項５】
前記第１の方向ガイド部は、前記テーブルの上面に設けられ、前記カメラの向きに対応する位置が低くなるように傾斜している第１のスロープ部であり、
前記第２の方向ガイド部は、前記カバーの下面に設けられ、前記窓部の向きに対応する位置が低くなるように傾斜している第２のスロープ部であることを特徴とする請求項１に記載のカメラ装置。
【請求項６】
前記カメラの向きの反対側に対応する位置には、前記第１のスロープ部と同じ形状の第１の対称スロープ部が設けられており、
前記窓部の向きの反対側に対応する位置には、前記第２のスロープ部と同じ形状の第２の対称スロープ部が設けられていることを特徴とする請求項１に記載のカメラ装置。
【請求項７】
前記カメラの向きの反対側に対応する位置には、前記第１のスロープ部と異なる形状の第１の非対称部が設けられており、
前記窓部の向きの反対側に対応する位置には、前記第２のスロープ部と異なる形状の第２の非対称部が設けられていることを特徴とする請求項１に記載のカメラ装置。
【請求項８】
カメラカバーの窓部の向きを調整する方法であって、
前記カメラを水平方向に回転可能に支持するテーブルには、前記カメラの撮影方向に対応する位置に第１の方向ガイド部が設けられており、
前記テーブルに載置されて前記カメラを覆うカバーには、前記前記カメラの撮影視野を確保するための窓部と、前記窓部の視野確保方向に対応する位置に前記第１の方向ガイド部に応じた形状の第２の方向ガイド部とが設けられており、
前記方法は、
前記第１の方向ガイド部と前記第２の方向ガイド部とを互いに当接させて、前記窓部の向きを前記カメラの向きと水平方向で揃うように調整することを特徴とするカメラカバーの窓部の向きの調整方法。
【発明の詳細な説明】
【技術分野】
【０００１】
本発明は、カメラの設置作業、特にカメラカバーの窓部の向きの調整作業の作業性を向上したカメラ装置に関するものである。
【背景技術】
【０００２】
従来、カメラ装置として、例えば、施設の監視用に用いられ、施設の壁や天井などに設置されるドーム型カメラが知られている。このようなドーム型カメラは、所定の撮影方向を撮影するカメラと、カメラが取り付けられるシャーシと、シャーシに取り付けられカメラを覆うドーム型のカバーとを有している。そして、ドーム型のカバーには、カメラの撮影方向の視野を確保しつつ、他の部分は外部から見えないように保護するために、カメラの画角の分だけ切り欠いた窓部が設けられている。したがって、このようなドーム型カメラを、施設の天井や壁などに設置するときには、カメラの撮影方向とカバーの窓部の方向とを一致させる調整作業が必要となる。【０００３】
従来のドーム型カメラとして、シャーシとカバーの各々に、相互に一致する目盛りが表示されているものが知られている。この従来のドーム型カメラでは、施設の天井や壁などに設置する際に、シャーシの目盛りとカバーの目盛りを合わせて、カメラの撮影方向とカバーの窓部の方向とを一致させる。例えば、特開２００４−３５６６６９号公報には、このような技術が開示されている。
【先行技術文献】
【特許文献】
【０００４】
【特許文献１】特開２００４−３５６６６９号公報
【０００５】
しかしながら、従来のドーム型カメラにおいては、施設の天井や壁などにドーム型カメラを設置するときに、カバーをシャーシに取り付ける前に予めシャーシの目盛りとカバーの目盛りとを合わせておく必要がある。そして、一旦、カバーをシャーシに取り付けて、ドーム型カメラの設置が完了した後で、カバーの窓部の向きをカメラの撮影方向に合わせなおす必要が生じた場合（例えば、作業者が目盛りを読み間違えた場合や、地震や悪戯などの外力によりカバーの向きが変えられてしまった場合）には、もう一度、カバーをシャーシから取り外して、シャーシの目盛りとカバーの目盛りとを合わせなければならない。したがって、カバーの窓部の向きを再調整する場合に、手間と労力を要することになる。
【発明の概要】
【発明が解決しようとする課題】
【０００６】
本発明は、上記背景の下でなされたものである。本発明の目的は、カバーの窓部の向きを容易にカメラの向きに合わせることのできるカメラ装置を提供することにある。
【課題を解決するための手段】
【０００７】
本発明の一の態様は、カメラ装置であり、このカメラ装置は、撮影方向が所定の向きに設定されるカメラと、カメラの向きに対応する位置に第１の方向ガイド部を有し、カメラを水平方向に回転可能に支持するテーブルと、カメラの撮影視野を確保するための窓部と、窓部の向きに対応する位置に第１の方向ガイド部に応じた形状の第２の方向ガイド部とを有し、テーブルの上に載置されてカメラを覆うカバーと、を備え、第１の方向ガイド部と第２の方向ガイド部とを互いに当接させたときに、窓部の向きがカメラの向きと水平方向で揃うように調整される。【０００８】
本発明の別の態様は、カメラカバーの窓部の向きを調整する方法であって、カメラを水平方向に回転可能に支持するテーブルには、カメラの撮影方向に対応する位置に第１の方向ガイド部が設けられており、テーブルに載置されてカメラを覆うカバーには、カメラの撮影視野を確保するための窓部と、窓部の視野確保方向に対応する位置に第１の方向ガイド部に応じた形状の第２の方向ガイド部とが設けられており、この方法は、第１の方向ガイド部と第２の方向ガイド部とを互いに当接させて、窓部の向きをカメラの向きと水平方向で揃うように調整する。【０００９】
以下に説明するように、本発明には他の態様が存在する。したがって、この発明の開示は、本発明の一部の態様の提供を意図しており、ここで記述され請求される発明の範囲を制限することは意図していない。
【図面の簡単な説明】
【００１０】
【図１】図１は、第１の実施の形態におけるカメラ装置の主要部の構成を説明するための分解斜視図
【図２】図２は、第１の実施の形態におけるカメラ装置の全体の構成を示す斜視図
【図３】図３は、第１の実施の形態におけるカメラ装置の分解斜視図
【図４】図４は、第１の実施の形態におけるカメラ装置の断面図
【図５】図５は、第１の実施の形態におけるカバーの窓部の向きの調整動作の説明図
【図６】図６は、第１の実施の形態におけるカバーの窓部の向きが調整された状態の説明図
【図７】図７は、第２の実施の形態におけるカメラ装置の主要部の構成を説明するための分解斜視図
【図８】図８は、第２の実施の形態におけるカメラ装置の断面図
【発明を実施するための形態】
【００１１】
以下に本発明の詳細な説明を述べる。ただし、以下の詳細な説明と添付の図面は発明を限定するものではない。代わりに、発明の範囲は添付の請求の範囲により規定される。
【００１２】
本発明のカメラ装置は、撮影方向が所定の向きに設定されるカメラと、カメラの向きに対応する位置に第１の方向ガイド部を有し、カメラを水平方向に回転可能に支持するテーブルと、カメラの撮影視野を確保するための窓部と、窓部の向きに対応する位置に第１の方向ガイド部に応じた形状の第２の方向ガイド部とを有し、テーブルの上に載置されてカメラを覆うカバーと、を備え、第１の方向ガイド部と第２の方向ガイド部とを互いに当接させたときに、窓部の向きがカメラの向きと水平方向で揃うように調整される構成を有している。
【００１３】
この構成により、カメラ装置の設置作業において、カメラの向きを調整した後、カバーをカメラにかぶせて、第１の方向ガイド部と第２の方向ガイド部とを互いに当接させると、窓部の向きがカメラの向きに水平方向で揃うようになる。これにより、カバーをカメラにかぶせるだけで、カバーの窓部の向きを容易にカメラの向きに合わせることができる。
【００１４】
また、本発明のカメラ装置では、カバーは、アウターカバーとインナーカバーで構成されており、アウターカバーは、ケースに対して回転不能に固定され、インナーカバーは、ケースとアウターカバーに対して回転可能であり、窓部と第２の方向ガイド部を有する構成を有してよい。
【００１５】
この構成により、ケースに対して回転不能に固定されたアウターカバーによって、カメラに外力が加えられるのを防ぐことができる。また、カバーをカメラにかぶせると、インナーカバーがアウターカバー（およびケース）に対して回転して、第１の方向ガイド部と第２の方向ガイド部とが互いに当接するようになる。これにより、カバーをカメラにかぶせるだけで、インナーカバーの窓部の向きを容易にカメラの向きに合わせることができる。
【００１６】
また、本発明のカメラ装置は、カメラを水平方向に回転させてカメラの向きを調整する制御部を備え、カメラの向きの調整が行われたときに、窓部の向きがカメラの向きと水平方向で揃うように調整される構成を有してよい。
【００１７】
この構成により、制御部を作動させてカメラの向きを変えると、それに伴って窓部の向きが変わる。例えば、カメラの向きの再調整が行われると、それに追従して窓部の向きが調整される。これにより、カメラの向きの調整したときに、カバーの窓部の向きを自動的にカメラの向きに合わせることができる。
【００１８】
また、本発明のカメラ装置では、アウターカバーは、表面にスモーク処理が施されている構成を有してよい。
【００１９】
この構成により、アウターカバーによって、カメラの内部を外から見えないようにすることができ、防犯効果を高めることができる。この場合、カメラの内部が外から見えなくても、カバーをカメラにかぶせるだけで、インナーカバーの窓部の向きをカメラの向き合わせることができるので、カメラ装置の設置作業（カバーの窓部の向きの調整作業）の高い作業性が維持される。
【００２０】
また、本発明のカメラ装置では、第１の方向ガイド部は、テーブルの上面に設けられ、カメラの向きに対応する位置が低くなるように傾斜している第１のスロープ部であり、第２の方向ガイド部は、カバーの下面に設けられ、窓部の向きに対応する位置が低くなるように傾斜している第２のスロープ部である構成を有してよい。
【００２１】
この構成により、カバーをカメラにかぶせて、第１のスロープ部と第２のスロープ部とを互いに当接させると、窓部の向きがカメラの向きに水平方向で揃うようになる。これにより、カバーをカメラにかぶせるだけで、カバーの窓部の向きを容易にカメラの向きに合わせることができる。この場合、第１のスロープ部では、カメラの向きに対応する位置が低くなっており、第２のスロープ部では、窓部の向きに対応する位置が低くなっているので、カメラの視野を大きく確保することができる。
【００２２】
また、本発明のカメラ装置では、カメラの向きの反対側に対応する位置には、第１のスロープ部と同じ形状の第１の対称スロープ部が設けられており、窓部の向きの反対側に対応する位置には、第２のスロープ部と同じ形状の第２の対称スロープ部が設けられている構成を有してよい。
【００２３】
この構成により、カメラの向きと窓部の向きとを反対向きにしてカバーをカメラにかぶせた場合には、第１の対称スロープ部が第２のスロープ部と当接するとともに、第２の対称スロープ部が第１のスロープ部と当接し、カバーをカメラにかぶせることができる。これにより、カメラにカバーを反対向きにかぶせた場合に、第１のスロープ部と第２のスロープ部とを互いに当接させるために過度の力が加えられるのを防ぐことができる。
【００２４】
また、本発明のカメラ装置では、カメラの向きの反対側に対応する位置には、第１のスロープ部と異なる形状の第１の非対称部が設けられており、窓部の向きの反対側に対応する位置には、第２のスロープ部と異なる形状の第２の非対称部が設けられている構成を有してよい。
【００２５】
この構成により、カメラの向きと窓部の向きとを反対向きにしてカバーをカメラにかぶせた場合には、第１の非対称部が第２のスロープ部と当接するともに、第２の非対称部が第１のスロープ部と当接し、カバーをカメラにかぶせることができない。これにより、カメラにカバーを反対向きにかぶせたことを感知することができる。
【００２６】
本発明の方法は、カメラカバーの窓部の向きを調整する方法であって、カメラを水平方向に回転可能に支持するテーブルには、カメラの撮影方向に対応する位置に第１の方向ガイド部が設けられており、テーブルに載置されてカメラを覆うカバーには、カメラの撮影視野を確保するための窓部と、窓部の視野確保方向に対応する位置に第１の方向ガイド部に応じた形状の第２の方向ガイド部とが設けられており、方法は、第１の方向ガイド部と第２の方向ガイド部とを互いに当接させて、窓部の向きをカメラの向きと水平方向で揃うように調整する。
【００２７】
この方法によれば、カメラ装置の設置作業において、カメラの向きを調整した後、カバーをカメラにかぶせて、第１の方向ガイド部と第２の方向ガイド部とを互いに当接させると、窓部の向きがカメラの向きに水平方向で揃うようになる。これにより、カバーをカメラにかぶせるだけで、カバーの窓部の向きを容易にカメラの向きに合わせることができる。
【００２８】
本発明は、カメラの向きに対応する第１の方向ガイド部をテーブルに設け、窓部の向きに対応する第２の方向ガイド部をカバーに設けることにより、カバーの窓部の向きを容易にカメラの向きに合わせることができる。
【００２９】
以下、本発明の実施の形態のカメラ装置について、図面を用いて説明する。本実施の形態では、施設の壁や天井に設置される監視カメラ等として用いられるカメラ装置の場合を例示する。
【００３０】
（第１の実施の形態）
本発明の第１の実施の形態のカメラ装置を図１〜図６を参照して説明する。図１は、本実施の形態のカメラ装置の主要部の構成を説明するための分解斜視図である。図２は、本実施の形態のカメラ装置の全体の構成を示す斜視図であり、図３は、カメラ装置の分解斜視図である。また、図４は、カメラ装置の断面図である。
【００３１】
図１〜図４に示すように、カメラ装置１は、所定の撮影方向に設定されるカメラ２と、カメラ２を水平方向（パン方向）および上下方向（チルト方向）に回転可能に支持するテーブル３と、テーブル３の上に載置されてカメラ２を覆うカバー４を備えている。
【００３２】
図３に示すように、カバー４は、アウターカバー５とインナーカバー６で構成されており、アウターカバー５は、ケース７に対して回転不能に固定されている。インナーカバー６は、ケース７とアウターカバー５に対して回転可能である。アウターカバー５には、全面にスモーク処理が施されており、インナーカバー６には、カメラ２の撮影視野を確保するための窓部８が設けられている。
【００３３】
図１および図４に示すように、テーブル３の周縁部の上面には、カメラ２の向きに対応する位置が低くなるように傾斜している第１のスロープ部９が設けられており、インナーカバー６の下面には、窓部８の向きに対応する位置が低くなるように傾斜している第２のスロープ部１０が設けられている。なお、図１では、説明の便宜のため、アウターカバー５の図示は省略されている。第１のスロープ部９は、カメラ２の向きに対応する位置に設けられており、第２のスロープ部１０は、窓部８の向きに対応する位置に設けられているともいえる。また、第１のスロープ部９と第２のスロープ部１０は互いに対応した形状を有しており、この場合、第１のスロープ部９と第２のスロープ部１０とを合わせたときに、ぴったり合致する形状を有している。したがって、この第１のスロープ部９と第２のスロープ部１０は、互いに当接させたときに、窓部８の向きとカメラ２の向きが水平方向で揃うことになるように構成されおり、窓部８の向きをカメラ２の向きに合わせるようにガイドする機能を有しているともいえる。
【００３４】
また、テーブル３の周縁部の上面には、カメラ２の向きの反対側に対応する位置に、第１のスロープ部９と同じ形状の第１の対称スロープ部１１が設けられており、インナーカバー６の下面には、窓部８の向きの反対側に対応する位置に、第２のスロープ部１０と同じ形状の第２の対称スロープ部１２が設けられている。つまり、この第１の対称スロープ部１１と第２の対称スロープ部１２は、カメラ２の向きと窓部８の向きとを反対向きにしてカバー４をカメラ２にかぶせた場合に、第１の対称スロープ部１１が第２のスロープ部１０と当接するとともに、第２の対称スロープ部１２が第１のスロープ部９と当接し、カメラ２にカバー４をかぶせることができるように構成されているともいえる。
【００３５】
また、カメラ装置１は、カメラ２の向きを外部から調整するための制御部１３を備えている（図２参照）。この制御部１３は、カメラ２を水平方向または上下方向に回転させて、カメラ２の向きを調整する機能を備えている。
【００３６】
以上のように構成されたカメラ装置１について、図５および図６を用いてその動作を説明する。なお、図５および図６では、説明の便宜のため、アウターカバー５の図示は省略されている。
【００３７】
本発明の第１の実施の形態のカメラ装置１を設置するときには、まず、カメラ２の向きを調整する。カメラ２の向きを水平方向に回転させると、それに伴って第１のスロープ部９の向きもそのカメラ２の向きと同じ方向に向けられる（第１の対称スロープ部１１の向きはカメラ２の向きと反対の向きに向けられる）。そして、図５に示すように、インナーカバー６の窓部８の向きを、カメラ２の向きに大体合わせた状態で、カバー４をカメラ２にかぶせる。この場合、カメラ２の向き（第１のスロープ部９の向き）は、調整された向きに固定されており、インナーカバー６の向き（第２のスロープ部１０）は、アウターカバー５の内部で回転自在になっている。そのため、カバー４（インナーカバー６）をカメラ２にかぶせると、第１のスロープ部９と第２のスロープ部１０の傾斜によって、インナーカバー６がアウターカバー５の内部で回転し、第１のスロープ部９と第２のスロープ部１０が互いにぴったり当接するようになり、図６に示すように、窓部８の向きとカメラ２の向きが水平方向で揃うようになる。
【００３８】
カメラ２の向きの再調整を行う場合には、例えば、制御部１３を作動させてカメラ２の向きを変える。そうすると、カメラ２の水平方向の回転に伴って窓部８の向きが変わる。このように、カメラ２の向きの再調整を行うと、それに追従して窓部８の向きが調整される。
【００３９】
また、作業者が誤って、カメラ２の向きと窓部８の向きとを反対向きにしてカバー４をカメラ２にかぶせた場合には、第１の対称スロープ部１１が第２のスロープ部１０と当接するとともに、第２の対称スロープ部１２が第１のスロープ部９と当接し、カバー４をカメラ２にかぶせることができる。
【００４０】
このような本発明の第１の実施の形態のカメラ装置１によれば、カメラ２の向きに対応する第１のスロープ部９（第１の方向ガイド部）をテーブル３に設け、窓部８の向きに対応する第２のスロープ部１０（第２の方向ガイド部）をカバー４に設けることにより、カバー４の窓部８の向きを容易にカメラ２の向きに合わせることができる。
【００４１】
すなわち、本実施の形態では、カメラ装置１の設置作業において、カメラ２の向きを調整した後、カバー４をカメラ２にかぶせて、第１のスロープ部９（第１の方向ガイド部）と第２のスロープ部１０（第２の方向ガイド部）とを互いに当接させると、窓部８の向きがカメラ２の向きに水平方向で揃うようになる。これにより、カバー４をカメラ２にかぶせるだけで、カバー４の窓部８の向きを容易にカメラ２の向きに合わせることができる。
【００４２】
また、本実施の形態では、ケース７に対して回転不能に固定されたアウターカバー５によって、カメラ２に外力が加えられるのを防ぐことができる。また、カバー４をカメラ２にかぶせると、インナーカバー６がアウターカバー５（およびケース７）に対して回転して、第１のスロープ部９（第１の方向ガイド部）と第２のスロープ部１０（第２の方向ガイド部）とが互いに当接するようになる。これにより、カバー４をカメラ２にかぶせるだけで、インナーカバー６の窓部８の向きを容易にカメラ２の向きに合わせることができる。
【００４３】
また、本実施の形態では、制御部１３を作動させてカメラ２の向きを変えると、それに伴って窓部８の向きが変わる。例えば、カメラ２の向きの再調整が行われると、それに追従して窓部８の向きが調整される。これにより、カメラ２の向きの調整したときに、カバー４の窓部８の向きを自動的にカメラ２の向きに合わせることができる。
【００４４】
また、本実施の形態では、スモーク処理されたアウターカバー５によって、カメラ２の内部を外から見えないようにすることができ、防犯効果を高めることができる。この場合、カメラ２の内部が外から見えなくても、カバー４をカメラ２にかぶせるだけで、インナーカバー６の窓部８の向きをカメラ２の向き合わせることができるので、カメラ装置１の設置作業（カバー４の窓部８の向きの調整作業）の高い作業性が維持される。
【００４５】
また、本実施の形態では、カバー４をカメラ２にかぶせて、第１のスロープ部９と第２のスロープ部１０とを互いに当接させると、窓部８の向きがカメラ２の向きに水平方向で揃うようになる。これにより、カバー４をカメラ２にかぶせるだけで、カバー４の窓部８の向きを容易にカメラ２の向きに合わせることができる。この場合、第１のスロープ部９では、カメラ２の向きに対応する位置が低くなっており、第２のスロープ部１０では、窓部８の向きに対応する位置が低くなっているので、カメラ２の視野を大きく確保することができる。
【００４６】
また、本実施の形態では、カメラ２の向きと窓部８の向きとを反対向きにしてカバー４をカメラ２にかぶせた場合には、第１の対称スロープ部１１が第２のスロープ部１０と当接するとともに、第２の対称スロープ部１２が第１のスロープ部９と当接し、カバー４をカメラ２にかぶせることができる。これにより、カメラ２にカバー４を反対向きにかぶせた場合に、第１のスロープ部９と第２のスロープ部１０とを互いに当接させるために過度の力が加えられるのを防ぐことができる。
【００４７】
（第２の実施の形態）
次に、本発明の第２の実施の形態のカメラ装置１を図７および図８を参照して説明する。ここでは、本実施の形態のカメラ装置１が、第１の実施の形態と異なる点を中心に説明する。すなわち、ここで特に言及しない限り、本実施の形態のカメラ装置１の構成は、第１の実施の形態と同様である。
【００４８】
図７は、本実施の形態のカメラ装置１の主要部の構成を説明するための分解斜視図であり、図８は、本実施の形態のカメラ装置１の断面図である。図７および図８に示すように、テーブル３の周縁部の上面には、カメラ２の向きの反対側に対応する位置に、第１のスロープ部９と異なる形状の第１の非対称部１４が設けられており、インナーカバー６の下面には、窓部８の向きの反対側に対応する位置に、第２のスロープ部１０と異なる形状の第２の非対称部１５が設けられている。つまり、この第１の非対称部１４と第２の非対称部１５は、カメラ２の向きと窓部８の向きとを反対向きにしてカバー４をカメラ２にかぶせた場合に、第１の非対称部１４が第２のスロープ部１０と当接するとともに、第２の対称スロープ部１２が第１のスロープ部９と当接し、カバー４をカメラ２にかぶせることができないように構成されているともいえる。
【００４９】
このような本発明の第２の実施の形態のカメラ装置１によっても、第１の実施の形態と同様の作用効果が奏される。
【００５０】
この場合、カメラ２の向きと窓部８の向きとを反対向きにしてカバー４をカメラ２にかぶせた場合には、第１の非対称部１４が第２のスロープ部１０と当接するともに、第２の非対称部１５が第１のスロープ部９と当接し、カバー４をカメラ２にかぶせることができない。これにより、カメラ２にカバー４を反対向きにかぶせたことを感知することができる。
【００５１】
以上、本発明の実施の形態を例示により説明したが、本発明の範囲はこれらに限定されるものではなく、請求項に記載された範囲内において目的に応じて変更・変形することが可能である。
【００５２】
以上に現時点で考えられる本発明の好適な実施の形態を説明したが、本実施の形態に対して多様な変形が可能なことが理解され、そして、本発明の真実の精神と範囲内にあるそのようなすべての変形を添付の請求の範囲が含むことが意図されている。
【産業上の利用可能性】
【００５３】
以上のように、本発明にかかるカメラ装置は、カバーの窓部の向きを容易にカメラの向きに合わせることができるという効果を有し、施設の壁や天井に設置される監視カメラ等として有用である。
【符号の説明】
【００５４】
１  カメラ装置
２  カメラ
３  テーブル
４  カバー
５  アウターカバー
６  インナーカバー
７  ケース
８  窓部
９  第１のスロープ部
１０  第２のスロープ部
１１  第１の対称スロープ部
１２  第２の対称スロープ部
１３  制御部
１４  第１の非対称部
１５  第２の非対称部
【図１】
2010010658.tif 000003
【図２】
2010010658.tif 000004
【図３】
2010010658.tif 000005
【図４】
2010010658.tif 000006
【図５】
2010010658.tif 000007
【図６】
2010010658.tif 000008
【図７】
2010010658.tif 000009
【図８】
2010010658.tif 000010
【手続補正書】
【提出日】平成22年5月24日(2010.5.24)
【手続補正１】
【補正対象書類名】特許請求の範囲
【補正対象項目名】全文
【補正方法】変更
【補正の内容】
【特許請求の範囲】
【請求項１】
撮影方向が所定の向きに設定されるカメラと、
前記カメラの向きに対応する位置に第１の方向ガイド部を有し、前記カメラを水平方向に回転可能に支持するテーブルと、
前記カメラの撮影視野を確保するための窓部と、前記窓部の向きに対応する位置に前記第１の方向ガイド部に応じた形状の第２の方向ガイド部とを有し、前記テーブルの上に載置されて前記カメラを覆うカバーと、を備え、
前記窓部の向きが前記カメラの向きと水平方向で揃っていない状態で、前記第１の方向ガイド部と前記第２の方向ガイド部とを互いに当接させると、前記カバーが前記テーブルに対して相対的に回転して、前記窓部の向きが前記カメラの向きと水平方向で揃うように調整されることを特徴とするカメラ装置。
【請求項２】
前記カバーは、アウターカバーとインナーカバーで構成されており、
前記アウターカバーは、ケースに対して回転不能に固定され、
前記インナーカバーは、前記ケースと前記アウターカバーに対して回転可能であり、前記窓部と前記第２の方向ガイド部を有し、
前記窓部の向きが前記カメラの向きと水平方向で揃っていない状態で、前記第１の方向ガイド部と前記第２の方向ガイド部とを互いに当接させると、前記アウターカバーの内部で前記インナーカバーが前記テーブルに対して相対的に回転して、前記窓部の向きが前記カメラの向きと水平方向で揃うように調整されることを特徴とする請求項１に記載のカメラ装置。
【請求項３】
前記カメラを水平方向に回転させて前記カメラの向きを調整する制御部を備え、
前記カメラの向きの調整が行われたときに、前記窓部の向きが前記カメラの向きと水平方向で揃うように調整されることを特徴とする請求項１に記載のカメラ装置。
【請求項４】
前記アウターカバーは、表面にスモーク処理が施されていることを特徴とする請求項２に記載のカメラ装置。
【請求項５】
前記第１の方向ガイド部は、前記テーブルの上面に設けられ、前記カメラの向きに対応する位置が低くなるように傾斜している第１のスロープ部であり、
前記第２の方向ガイド部は、前記カバーの下面に設けられ、前記窓部の向きに対応する位置が低くなるように傾斜している第２のスロープ部であることを特徴とする請求項１に記載のカメラ装置。
【請求項６】
前記カメラの向きの反対側に対応する位置には、前記第１のスロープ部と同じ形状の第１の対称スロープ部が設けられており、
前記窓部の向きの反対側に対応する位置には、前記第２のスロープ部と同じ形状の第２の対称スロープ部が設けられていることを特徴とする請求項１に記載のカメラ装置。
【請求項７】
前記カメラの向きの反対側に対応する位置には、前記第１のスロープ部と異なる形状の第１の非対称部が設けられており、
前記窓部の向きの反対側に対応する位置には、前記第２のスロープ部と異なる形状の第２の非対称部が設けられていることを特徴とする請求項１に記載のカメラ装置。
【請求項８】
カメラカバーの窓部の向きを調整する方法であって、
前記カメラを水平方向に回転可能に支持するテーブルには、前記カメラの撮影方向に対応する位置に第１の方向ガイド部が設けられており、
前記テーブルに載置されて前記カメラを覆うカバーには、前記前記カメラの撮影視野を確保するための窓部と、前記窓部の視野確保方向に対応する位置に前記第１の方向ガイド部に応じた形状の第２の方向ガイド部とが設けられており、
前記方法は、
前記窓部の向きが前記カメラの向きと水平方向で揃っていない状態で、前記第１の方向ガイド部と前記第２の方向ガイド部とを互いに当接させることにより、前記カバーが前記テーブルに対して相対的に回転させて、前記窓部の向きを前記カメラの向きと水平方向で揃うように調整することを特徴とするカメラカバーの窓部の向きの調整方法。
【手続補正書】
【提出日】平成22年10月19日(2010.10.19)
【手続補正１】
【補正対象書類名】明細書
【補正対象項目名】全文
【補正方法】変更
【補正の内容】
【発明の詳細な説明】
【技術分野】
【０００１】
本発明は、カメラの設置作業、特にカメラカバーの窓部の向きの調整作業の作業性を向上したカメラ装置に関するものである。
【背景技術】
【０００２】
従来、カメラ装置として、例えば、施設の監視用に用いられ、施設の壁や天井などに設置されるドーム型カメラが知られている。このようなドーム型カメラは、所定の撮影方向を撮影するカメラと、カメラが取り付けられるシャーシと、シャーシに取り付けられカメラを覆うドーム型のカバーとを有している。そして、ドーム型のカバーには、カメラの撮影方向の視野を確保しつつ、他の部分は外部から見えないように保護するために、カメラの画角の分だけ切り欠いた窓部が設けられている。したがって、このようなドーム型カメラを、施設の天井や壁などに設置するときには、カメラの撮影方向とカバーの窓部の方向とを一致させる調整作業が必要となる。
【０００３】
従来のドーム型カメラとして、シャーシとカバーの各々に、相互に一致する目盛りが表示されているものが知られている。この従来のドーム型カメラでは、施設の天井や壁などに設置する際に、シャーシの目盛りとカバーの目盛りを合わせて、カメラの撮影方向とカバーの窓部の方向とを一致させる。例えば、特開２００４−３５６６６９号公報には、このような技術が開示されている。
【先行技術文献】
【特許文献】
【０００４】
【特許文献１】特開２００４−３５６６６９号公報
【０００５】
しかしながら、従来のドーム型カメラにおいては、施設の天井や壁などにドーム型カメラを設置するときに、カバーをシャーシに取り付ける前に予めシャーシの目盛りとカバーの目盛りとを合わせておく必要がある。そして、一旦、カバーをシャーシに取り付けて、ドーム型カメラの設置が完了した後で、カバーの窓部の向きをカメラの撮影方向に合わせなおす必要が生じた場合（例えば、作業者が目盛りを読み間違えた場合や、地震や悪戯などの外力によりカバーの向きが変えられてしまった場合）には、もう一度、カバーをシャーシから取り外して、シャーシの目盛りとカバーの目盛りとを合わせなければならない。したがって、カバーの窓部の向きを再調整する場合に、手間と労力を要することになる。
【発明の概要】
【発明が解決しようとする課題】
【０００６】
本発明は、上記背景の下でなされたものである。本発明の目的は、カバーの窓部の向きを容易にカメラの向きに合わせることのできるカメラ装置を提供することにある。
【課題を解決するための手段】
【０００７】
本発明の一の態様は、カメラ装置であり、このカメラ装置は、撮影方向が所定の向きに設定されるカメラと、カメラの向きに対応する位置に第１の方向ガイド部を有し、カメラを水平方向に回転可能に支持するテーブルと、カメラの撮影視野を確保するための窓部と、窓部の向きに対応する位置に第１の方向ガイド部に応じた形状の第２の方向ガイド部とを有し、テーブルの上に載置されてカメラを覆うカバーと、を備え、第１の方向ガイド部と第２の方向ガイド部とを互いに当接させたときに、窓部の向きがカメラの向きと水平方向で揃うように調整される。
【０００８】
本発明の別の態様は、カメラカバーの窓部の向きを調整する方法であって、カメラを水平方向に回転可能に支持するテーブルには、カメラの撮影方向に対応する位置に第１の方向ガイド部が設けられており、テーブルに載置されてカメラを覆うカバーには、カメラの撮影視野を確保するための窓部と、窓部の視野確保方向に対応する位置に第１の方向ガイド部に応じた形状の第２の方向ガイド部とが設けられており、この方法は、第１の方向ガイド部と第２の方向ガイド部とを互いに当接させて、窓部の向きをカメラの向きと水平方向で揃うように調整する。
【０００９】
以下に説明するように、本発明には他の態様が存在する。したがって、この発明の開示は、本発明の一部の態様の提供を意図しており、ここで記述され請求される発明の範囲を制限することは意図していない。
【図面の簡単な説明】
【００１０】
【図１】図１は、第１の実施の形態におけるカメラ装置の主要部の構成を説明するための分解斜視図
【図２】図２は、第１の実施の形態におけるカメラ装置の全体の構成を示す斜視図
【図３】図３は、第１の実施の形態におけるカメラ装置の分解斜視図
【図４】図４は、第１の実施の形態におけるカメラ装置の断面図
【図５】図５は、第１の実施の形態におけるカバーの窓部の向きの調整動作の説明図
【図６】図６は、第１の実施の形態におけるカバーの窓部の向きが調整された状態の説明図
【図７】図７は、第２の実施の形態におけるカメラ装置の主要部の構成を説明するための分解斜視図
【図８】図８は、第２の実施の形態におけるカメラ装置の断面図
【発明を実施するための形態】
【００１１】
以下に本発明の詳細な説明を述べる。ただし、以下の詳細な説明と添付の図面は発明を限定するものではない。代わりに、発明の範囲は添付の請求の範囲により規定される。
【００１２】
本発明のカメラ装置は、撮影方向が所定の向きに設定されるカメラと、カメラの向きに対応する位置に第１の方向ガイド部を有し、カメラを水平方向に回転可能に支持するテーブルと、カメラの撮影視野を確保するための窓部と、窓部の向きに対応する位置に第１の方向ガイド部に応じた形状の第２の方向ガイド部とを有し、テーブルの上に載置されてカメラを覆うカバーと、を備え、第１の方向ガイド部と第２の方向ガイド部とを互いに当接させたときに、窓部の向きがカメラの向きと水平方向で揃うように調整される構成を有している。
【００１３】
この構成により、カメラ装置の設置作業において、カメラの向きを調整した後、カバーをカメラにかぶせて、第１の方向ガイド部と第２の方向ガイド部とを互いに当接させると、窓部の向きがカメラの向きに水平方向で揃うようになる。これにより、カバーをカメラにかぶせるだけで、カバーの窓部の向きを容易にカメラの向きに合わせることができる。
【００１４】
また、本発明のカメラ装置では、カバーは、アウターカバーとインナーカバーで構成されており、アウターカバーは、ケースに対して回転不能に固定され、インナーカバーは、ケースとアウターカバーに対して回転可能であり、窓部と第２の方向ガイド部を有する構成を有してよい。
【００１５】
この構成により、ケースに対して回転不能に固定されたアウターカバーによって、カメラに外力が加えられるのを防ぐことができる。また、カバーをカメラにかぶせると、インナーカバーがアウターカバー（およびケース）に対して回転して、第１の方向ガイド部と第２の方向ガイド部とが互いに当接するようになる。これにより、カバーをカメラにかぶせるだけで、インナーカバーの窓部の向きを容易にカメラの向きに合わせることができる。
【００１６】
また、本発明のカメラ装置は、カメラを水平方向に回転させてカメラの向きを調整する制御部を備え、カメラの向きの調整が行われたときに、窓部の向きがカメラの向きと水平方向で揃うように調整される構成を有してよい。
【００１７】
この構成により、制御部を作動させてカメラの向きを変えると、それに伴って窓部の向きが変わる。例えば、カメラの向きの再調整が行われると、それに追従して窓部の向きが調整される。これにより、カメラの向きの調整したときに、カバーの窓部の向きを自動的にカメラの向きに合わせることができる。
【００１８】
また、本発明のカメラ装置では、アウターカバーは、表面にスモーク処理が施されている構成を有してよい。
【００１９】
この構成により、アウターカバーによって、カメラの内部を外から見えないようにすることができ、防犯効果を高めることができる。この場合、カメラの内部が外から見えなくても、カバーをカメラにかぶせるだけで、インナーカバーの窓部の向きをカメラの向き合わせることができるので、カメラ装置の設置作業（カバーの窓部の向きの調整作業）の高い作業性が維持される。
【００２０】
また、本発明のカメラ装置では、第１の方向ガイド部は、テーブルの上面に設けられ、カメラの向きに対応する位置が低くなるように傾斜している第１のスロープ部であり、第２の方向ガイド部は、カバーの下面に設けられ、窓部の向きに対応する位置が低くなるように傾斜している第２のスロープ部である構成を有してよい。
【００２１】
この構成により、カバーをカメラにかぶせて、第１のスロープ部と第２のスロープ部とを互いに当接させると、窓部の向きがカメラの向きに水平方向で揃うようになる。これにより、カバーをカメラにかぶせるだけで、カバーの窓部の向きを容易にカメラの向きに合わせることができる。この場合、第１のスロープ部では、カメラの向きに対応する位置が低くなっており、第２のスロープ部では、窓部の向きに対応する位置が低くなっているので、カメラの視野を大きく確保することができる。
【００２２】
また、本発明のカメラ装置では、カメラの向きの反対側に対応する位置には、第１のスロープ部と同じ形状の第１の対称スロープ部が設けられており、窓部の向きの反対側に対応する位置には、第２のスロープ部と同じ形状の第２の対称スロープ部が設けられている構成を有してよい。
【００２３】
この構成により、カメラの向きと窓部の向きとを反対向きにしてカバーをカメラにかぶせた場合には、第１の対称スロープ部が第２のスロープ部と当接するとともに、第２の対称スロープ部が第１のスロープ部と当接し、カバーをカメラにかぶせることができる。これにより、カメラにカバーを反対向きにかぶせた場合に、第１のスロープ部と第２のスロープ部とを互いに当接させるために過度の力が加えられるのを防ぐことができる。
【００２４】
また、本発明のカメラ装置では、カメラの向きの反対側に対応する位置には、第１のスロープ部と異なる形状の第１の非対称部が設けられており、窓部の向きの反対側に対応する位置には、第２のスロープ部と異なる形状の第２の非対称部が設けられている構成を有してよい。
【００２５】
この構成により、カメラの向きと窓部の向きとを反対向きにしてカバーをカメラにかぶせた場合には、第１の非対称部が第２のスロープ部と当接するともに、第２の非対称部が第１のスロープ部と当接し、カバーをカメラにかぶせることができない。これにより、カメラにカバーを反対向きにかぶせたことを感知することができる。
【００２６】
本発明の方法は、カメラカバーの窓部の向きを調整する方法であって、カメラを水平方向に回転可能に支持するテーブルには、カメラの撮影方向に対応する位置に第１の方向ガイド部が設けられており、テーブルに載置されてカメラを覆うカバーには、カメラの撮影視野を確保するための窓部と、窓部の視野確保方向に対応する位置に第１の方向ガイド部に応じた形状の第２の方向ガイド部とが設けられており、方法は、第１の方向ガイド部と第２の方向ガイド部とを互いに当接させて、窓部の向きをカメラの向きと水平方向で揃うように調整する。
【００２７】
この方法によれば、カメラ装置の設置作業において、カメラの向きを調整した後、カバーをカメラにかぶせて、第１の方向ガイド部と第２の方向ガイド部とを互いに当接させると、窓部の向きがカメラの向きに水平方向で揃うようになる。これにより、カバーをカメラにかぶせるだけで、カバーの窓部の向きを容易にカメラの向きに合わせることができる。
【００２８】
本発明は、カメラの向きに対応する第１の方向ガイド部をテーブルに設け、窓部の向きに対応する第２の方向ガイド部をカバーに設けることにより、カバーの窓部の向きを容易にカメラの向きに合わせることができる。
【００２９】
以下、本発明の実施の形態のカメラ装置について、図面を用いて説明する。本実施の形態では、施設の壁や天井に設置される監視カメラ等として用いられるカメラ装置の場合を例示する。
【００３０】
（第１の実施の形態）
本発明の第１の実施の形態のカメラ装置を図１〜図６を参照して説明する。図１は、本実施の形態のカメラ装置の主要部の構成を説明するための分解斜視図である。図２は、本実施の形態のカメラ装置の全体の構成を示す斜視図であり、図３は、カメラ装置の分解斜視図である。また、図４は、カメラ装置の断面図である。
【００３１】
図１〜図４に示すように、カメラ装置１は、所定の撮影方向に設定されるカメラ２と、カメラ２を水平方向（パン方向）および上下方向（チルト方向）に回転可能に支持するテーブル３と、テーブル３の上に載置されてカメラ２を覆うカバー４を備えている。
【００３２】
図３に示すように、カバー４は、アウターカバー５とインナーカバー６で構成されており、アウターカバー５は、ケース７に対して回転不能に固定されている。インナーカバー６は、ケース７とアウターカバー５に対して回転可能である。アウターカバー５には、全面にスモーク処理が施されており、インナーカバー６には、カメラ２の撮影視野を確保するための窓部８が設けられている。
【００３３】
図１および図４に示すように、テーブル３の周縁部の上面には、カメラ２の向きに対応する位置が低くなるように傾斜している第１のスロープ部９が設けられており、インナーカバー６の下面には、窓部８の向きに対応する位置が低くなるように傾斜している第２のスロープ部１０が設けられている。なお、図１では、説明の便宜のため、アウターカバー５の図示は省略されている。第１のスロープ部９は、カメラ２の向きに対応する位置に設けられており、第２のスロープ部１０は、窓部８の向きに対応する位置に設けられているともいえる。また、第１のスロープ部９と第２のスロープ部１０は互いに対応した形状を有しており、この場合、第１のスロープ部９と第２のスロープ部１０とを合わせたときに、ぴったり合致する形状を有している。したがって、この第１のスロープ部９と第２のスロープ部１０は、互いに当接させたときに、窓部８の向きとカメラ２の向きが水平方向で揃うことになるように構成されおり、窓部８の向きをカメラ２の向きに合わせるようにガイドする機能を有しているともいえる。
【００３４】
また、テーブル３の周縁部の上面には、カメラ２の向きの反対側に対応する位置に、第１のスロープ部９と同じ形状の第１の対称スロープ部１１が設けられており、インナーカバー６の下面には、窓部８の向きの反対側に対応する位置に、第２のスロープ部１０と同じ形状の第２の対称スロープ部１２が設けられている。つまり、この第１の対称スロープ部１１と第２の対称スロープ部１２は、カメラ２の向きと窓部８の向きとを反対向きにしてカバー４をカメラ２にかぶせた場合に、第１の対称スロープ部１１が第２のスロープ部１０と当接するとともに、第２の対称スロープ部１２が第１のスロープ部９と当接し、カメラ２にカバー４をかぶせることができるように構成されているともいえる。
【００３５】
また、カメラ装置１は、カメラ２の向きを外部から調整するための制御部１３を備えている（図２参照）。この制御部１３は、カメラ２を水平方向または上下方向に回転させて、カメラ２の向きを調整する機能を備えている。
【００３６】
以上のように構成されたカメラ装置１について、図５および図６を用いてその動作を説明する。なお、図５および図６では、説明の便宜のため、アウターカバー５の図示は省略されている。
【００３７】
本発明の第１の実施の形態のカメラ装置１を設置するときには、まず、カメラ２の向きを調整する。カメラ２の向きを水平方向に回転させると、それに伴って第１のスロープ部９の向きもそのカメラ２の向きと同じ方向に向けられる（第１の対称スロープ部１１の向きはカメラ２の向きと反対の向きに向けられる）。そして、図５に示すように、インナーカバー６の窓部８の向きを、カメラ２の向きに大体合わせた状態で、カバー４をカメラ２にかぶせる。この場合、カメラ２の向き（第１のスロープ部９の向き）は、調整された向きに固定されており、インナーカバー６の向き（第２のスロープ部１０）は、アウターカバー５の内部で回転自在になっている。そのため、カバー４（インナーカバー６）をカメラ２にかぶせると、第１のスロープ部９と第２のスロープ部１０の傾斜によって、インナーカバー６がアウターカバー５の内部で回転し、第１のスロープ部９と第２のスロープ部１０が互いにぴったり当接するようになり、図６に示すように、窓部８の向きとカメラ２の向きが水平方向で揃うようになる。
【００３８】
カメラ２の向きの再調整を行う場合には、例えば、制御部１３を作動させてカメラ２の向きを変える。そうすると、カメラ２の水平方向の回転に伴って窓部８の向きが変わる。このように、カメラ２の向きの再調整を行うと、それに追従して窓部８の向きが調整される。
【００３９】
また、作業者が誤って、カメラ２の向きと窓部８の向きとを反対向きにしてカバー４をカメラ２にかぶせた場合には、第１の対称スロープ部１１が第２のスロープ部１０と当接するとともに、第２の対称スロープ部１２が第１のスロープ部９と当接し、カバー４をカメラ２にかぶせることができる。
【００４０】
このような本発明の第１の実施の形態のカメラ装置１によれば、カメラ２の向きに対応する第１のスロープ部９（第１の方向ガイド部）をテーブル３に設け、窓部８の向きに対応する第２のスロープ部１０（第２の方向ガイド部）をカバー４に設けることにより、カバー４の窓部８の向きを容易にカメラ２の向きに合わせることができる。
【００４１】
すなわち、本実施の形態では、カメラ装置１の設置作業において、カメラ２の向きを調整した後、カバー４をカメラ２にかぶせて、第１のスロープ部９（第１の方向ガイド部）と第２のスロープ部１０（第２の方向ガイド部）とを互いに当接させると、窓部８の向きがカメラ２の向きに水平方向で揃うようになる。これにより、カバー４をカメラ２にかぶせるだけで、カバー４の窓部８の向きを容易にカメラ２の向きに合わせることができる。
【００４２】
また、本実施の形態では、ケース７に対して回転不能に固定されたアウターカバー５によって、カメラ２に外力が加えられるのを防ぐことができる。また、カバー４をカメラ２にかぶせると、インナーカバー６がアウターカバー５（およびケース７）に対して回転して、第１のスロープ部９（第１の方向ガイド部）と第２のスロープ部１０（第２の方向ガイド部）とが互いに当接するようになる。これにより、カバー４をカメラ２にかぶせるだけで、インナーカバー６の窓部８の向きを容易にカメラ２の向きに合わせることができる。
【００４３】
また、本実施の形態では、制御部１３を作動させてカメラ２の向きを変えると、それに伴って窓部８の向きが変わる。例えば、カメラ２の向きの再調整が行われると、それに追従して窓部８の向きが調整される。これにより、カメラ２の向きの調整したときに、カバー４の窓部８の向きを自動的にカメラ２の向きに合わせることができる。
【００４４】
また、本実施の形態では、スモーク処理されたアウターカバー５によって、カメラ２の内部を外から見えないようにすることができ、防犯効果を高めることができる。この場合、カメラ２の内部が外から見えなくても、カバー４をカメラ２にかぶせるだけで、インナーカバー６の窓部８の向きをカメラ２の向き合わせることができるので、カメラ装置１の設置作業（カバー４の窓部８の向きの調整作業）の高い作業性が維持される。
【００４５】
また、本実施の形態では、カバー４をカメラ２にかぶせて、第１のスロープ部９と第２のスロープ部１０とを互いに当接させると、窓部８の向きがカメラ２の向きに水平方向で揃うようになる。これにより、カバー４をカメラ２にかぶせるだけで、カバー４の窓部８の向きを容易にカメラ２の向きに合わせることができる。この場合、第１のスロープ部９では、カメラ２の向きに対応する位置が低くなっており、第２のスロープ部１０では、窓部８の向きに対応する位置が低くなっているので、カメラ２の視野を大きく確保することができる。
【００４６】
また、本実施の形態では、カメラ２の向きと窓部８の向きとを反対向きにしてカバー４をカメラ２にかぶせた場合には、第１の対称スロープ部１１が第２のスロープ部１０と当接するとともに、第２の対称スロープ部１２が第１のスロープ部９と当接し、カバー４をカメラ２にかぶせることができる。これにより、カメラ２にカバー４を反対向きにかぶせた場合に、第１のスロープ部９と第２のスロープ部１０とを互いに当接させるために過度の力が加えられるのを防ぐことができる。
【００４７】
（第２の実施の形態）
次に、本発明の第２の実施の形態のカメラ装置１を図７および図８を参照して説明する。ここでは、本実施の形態のカメラ装置１が、第１の実施の形態と異なる点を中心に説明する。すなわち、ここで特に言及しない限り、本実施の形態のカメラ装置１の構成は、第１の実施の形態と同様である。
【００４８】
図７は、本実施の形態のカメラ装置１の主要部の構成を説明するための分解斜視図であり、図８は、本実施の形態のカメラ装置１の断面図である。図７および図８に示すように、テーブル３の周縁部の上面には、カメラ２の向きの反対側に対応する位置に、第１のスロープ部９と異なる形状の第１の非対称部１４が設けられており、インナーカバー６の下面には、窓部８の向きの反対側に対応する位置に、第２のスロープ部１０と異なる形状の第２の非対称部１５が設けられている。つまり、この第１の非対称部１４と第２の非対称部１５は、カメラ２の向きと窓部８の向きとを反対向きにしてカバー４をカメラ２にかぶせた場合に、第１の非対称部１４が第２のスロープ部１０と当接するとともに、第２の対称スロープ部１２が第１のスロープ部９と当接し、カバー４をカメラ２にかぶせることができないように構成されているともいえる。
【００４９】
このような本発明の第２の実施の形態のカメラ装置１によっても、第１の実施の形態と同様の作用効果が奏される。
【００５０】
この場合、カメラ２の向きと窓部８の向きとを反対向きにしてカバー４をカメラ２にかぶせた場合には、第１の非対称部１４が第２のスロープ部１０と当接するともに、第２の非対称部１５が第１のスロープ部９と当接し、カバー４をカメラ２にかぶせることができない。これにより、カメラ２にカバー４を反対向きにかぶせたことを感知することができる。
【００５１】
以上、本発明の実施の形態を例示により説明したが、本発明の範囲はこれらに限定されるものではなく、請求項に記載された範囲内において目的に応じて変更・変形することが可能である。
【００５２】
以上に現時点で考えられる本発明の好適な実施の形態を説明したが、本実施の形態に対して多様な変形が可能なことが理解され、そして、本発明の真実の精神と範囲内にあるそのようなすべての変形を添付の請求の範囲が含むことが意図されている。
【産業上の利用可能性】
【００５３】
以上のように、本発明にかかるカメラ装置は、カバーの窓部の向きを容易にカメラの向きに合わせることができるという効果を有し、施設の壁や天井に設置される監視カメラ等として有用である。
【符号の説明】
【００５４】
１  カメラ装置
２  カメラ
３  テーブル
４  カバー
５  アウターカバー
６  インナーカバー
７  ケース
８  窓部
９  第１のスロープ部
１０  第２のスロープ部
１１  第１の対称スロープ部
１２  第２の対称スロープ部
１３  制御部
１４  第１の非対称部
１５  第２の非対称部
【手続補正２】
【補正対象書類名】特許請求の範囲
【補正対象項目名】全文
【補正方法】変更
【補正の内容】
【特許請求の範囲】
【請求項１】
撮影方向が所定の向きに設定されるカメラと、
前記カメラの向きに対応する位置に第１の方向ガイド部を有し、前記カメラを水平方向に回転可能に支持するテーブルと、
前記カメラの撮影視野を確保するための窓部と、前記窓部の向きに対応する位置に前記第１の方向ガイド部に応じた形状の第２の方向ガイド部とを有し、前記テーブルの上に載置されて前記カメラを覆うカバーと、
を備え、
前記窓部の向きが前記カメラの向きと水平方向で揃っていない状態で、前記第１の方向ガイド部と前記第２の方向ガイド部とを互いに当接させると、前記カバーが前記テーブルに対して相対的に回転して、前記窓部の向きが前記カメラの向きと水平方向で揃うように調整されることを特徴とするカメラ装置。
【請求項２】
前記カバーは、アウターカバーとインナーカバーで構成されており、
前記アウターカバーは、ケースに対して回転不能に固定され、
前記インナーカバーは、前記ケースと前記アウターカバーに対して回転可能であり、前記窓部と前記第２の方向ガイド部を有し、
前記窓部の向きが前記カメラの向きと水平方向で揃っていない状態で、前記第１の方向ガイド部と前記第２の方向ガイド部とを互いに当接させると、前記アウターカバーの内部で前記インナーカバーが前記テーブルに対して相対的に回転して、前記窓部の向きが前記カメラの向きと水平方向で揃うように調整されることを特徴とする請求項１に記載のカメラ装置。
【請求項３】
前記カメラを水平方向に回転させて前記カメラの向きを調整する制御部を備え、
前記カメラの向きの調整が行われたときに、前記窓部の向きが前記カメラの向きと水平方向で揃うように調整されることを特徴とする請求項１または２に記載のカメラ装置。
【請求項４】
前記アウターカバーは、表面にスモーク処理が施されていることを特徴とする請求項２または３に記載のカメラ装置。
【請求項５】
前記第１の方向ガイド部は、前記テーブルの上面に設けられ、前記カメラの向きに対応する位置が低くなるように傾斜している第１のスロープ部であり、
前記第２の方向ガイド部は、前記カバーの下面に設けられ、前記窓部の向きに対応する位置が低くなるように傾斜している第２のスロープ部であることを特徴とする請求項１〜４のいずれかに記載のカメラ装置。
【請求項６】
前記カメラの向きの反対側に対応する位置には、前記第１のスロープ部と同じ形状の第１の対称スロープ部が設けられており、
前記窓部の向きの反対側に対応する位置には、前記第２のスロープ部と同じ形状の第２の対称スロープ部が設けられていることを特徴とする請求項１〜５のいずれかに記載のカメラ装置。
【請求項７】
前記カメラの向きの反対側に対応する位置には、前記第１のスロープ部と異なる形状の第１の非対称部が設けられており、
前記窓部の向きの反対側に対応する位置には、前記第２のスロープ部と異なる形状の第２の非対称部が設けられていることを特徴とする請求項１〜６のいずれかに記載のカメラ装置。
【請求項８】
カメラカバーの窓部の向きを調整する方法であって、
前記カメラを水平方向に回転可能に支持するテーブルには、前記カメラの撮影方向に対応する位置に第１の方向ガイド部が設けられており、
前記テーブルに載置されて前記カメラを覆うカバーには、前記前記カメラの撮影視野を確保するための窓部と、前記窓部の視野確保方向に対応する位置に前記第１の方向ガイド部に応じた形状の第２の方向ガイド部とが設けられており、
前記方法は、
前記窓部の向きが前記カメラの向きと水平方向で揃っていない状態で、前記第１の方向ガイド部と前記第２の方向ガイド部とを互いに当接させることにより、前記カバーが前記テーブルに対して相対的に回転させて、前記窓部の向きを前記カメラの向きと水平方向で揃うように調整することを特徴とするカメラカバーの窓部の向きの調整方法。
【手続補正３】
【補正対象書類名】図面
【補正対象項目名】全図
【補正方法】変更
【補正の内容】
【図１】
2010010658.tif 000011
【図２】
2010010658.tif 000012
【図３】
2010010658.tif 000013
【図４】
2010010658.tif 000014
【図５】
2010010658.tif 000015
【図６】
2010010658.tif 000016
【図７】
2010010658.tif 000017
【図８】
2010010658.tif 000018
【国際調査報告】
2010010658.tif 000019
2010010658.tif 000020
2010010658.tif 000021
2010010658.tif 000022